(57)【特許請求の範囲】
【請求項１】
合成樹脂製のトリムの背面に先端に係止爪を備えたクリップを突設し、該クリップに対して付設部品の周側の底縁近傍に設けたブラケット片の係止孔を挿入して前記係止爪に弾性係着することによって、前記トリムの背面に複数の付設部品を近接して取付けるようにした構造であって、
前記複数の付設部品が隣接した側では、１つのクリップを共用してこれら付設部品のブラケット片を弾性係着可能としてあり、
前記隣接する側のブラケット片は、一方のブラケット片に他方のブラケット片が被い重なるような配置関係となるように配置高さおよび大きさを異ならせてある一方、
前記共用するクリップは、異なる係着高さ位置を規定する複数の係止爪を備え、
前記係着高さ位置の低い係止爪を前記一方のブラケット片の係着固定用として、その一対を係止縁が外向きとなるように対向して形成し、係着高さ位置の高い係止爪を前記他方のブラケット片の係着固定用として、これら一対の係着高さ位置の低い係止爪の中間位置に形成し、
前記共用のクリップの係着高さ位置が低い係止爪に前記一方のブラケット片の係止孔を挿入して弾性係着し、続いて係着高さ位置が高い係止爪に前記他方のブラケット片の係止孔を挿入して弾性係着して、これら複数のブラケット片を多段に弾性係着するようにしたことを特徴とする車両用内装材。
【請求項２】
前記共用のクリップは、先端部の一側に前記係止爪を形成するクリップポストをコ字形に形成し、そのコ字形状の対向部に前記係着高さ位置が低い係止爪を形成し、コ字形状の中央部に前記係着高さ位置が高い係止爪をその係止縁がコ字形状の内側を向くように内向きに形成したことを特徴とする請求項１に記載の車両用内装材。
【発明の詳細な説明】
【技術分野】
【０００１】
本発明は、自動車のドアトリムやリャサイドトリム等に代表される合成樹脂製の車両用内装材に関する。
【背景技術】
【０００２】
自動車のドアトリムの中には、例えば、特許文献１に示されているように、背面に係止爪を備えたクリップを突設し、該クリップにより緩衝部品等の付設部品を係着固定するようにしたものが知られている。
【先行技術文献】
【特許文献】
【０００３】
【特許文献１】特開２０１１−２３０６０３号公報
【発明の概要】
【発明が解決しようとする課題】
【０００４】
トリム背面に装着される付設部品は、その周側の底縁近傍に複数のブラケット片を設け、このブラケット片に形成した係止孔を上述のクリップに挿入して、係止爪に係着固定するようにしている。
【０００５】
従って、クリップは１つの付設部品に対して、その周側底縁近傍のブラケット数に対応して設けられる。
【０００６】
ドアトリムは、コア型とキャビティ型とを備えた成形型によって型成形され、クリップはこの成形型によりドアトリムの背面に一体成形される。
【０００７】
このクリップは、前述のように係止爪を備えていて、この係止爪がドアトリムの成形型の離型方向と交差するアンダーカットとなるため、該成形型のクリップ成形部分はスライド駒構造として、このスライド駒によってクリップを成形するようにしている。
【０００８】
従って、トリム背面の付設部品数が増えると、その分、クリップ係着による固定点数が増えることによって型費が嵩んでしまう。
【０００９】
また、トリム背面に複数の付設部品を近接して配設する場合、複数の付設部品が隣接する側では、成形型にそれぞれ対応する付設部品のクリップ成形用のスライド駒構造を構成するスペースを採れなくなってしまう。
【００１０】
このため、複数の付設部品が隣接する側では、クリップ係着に替えて超音波溶着等の固着手段を採用する必要があって、コスト的に不利となってしまう。
【００１１】
そこで、本発明は１つのクリップによって複数の付設部品を多段に係着固定することができて、背面に複数の付設部品を隣接配置する場合に有効な車両用内装材を提供するものである。
【課題を解決するための手段】
【００１２】
本発明に係る車両用内装材は、合成樹脂製のトリムの背面に先端に係止爪を備えたクリップを突設し、該クリップに対して付設部品の周側の底縁近傍に設けたブラケット片の係止孔を挿入して前記係止爪に弾性係着することによって、前記トリムの背面に複数の付設部品を近接して取付けるようにした構造としていて、前記複数の付設部品が隣接した側では、１つのクリップを共用してこれら付設部品のブラケット片を弾性係着可能としている。
【００１３】
そして、前記隣接する側のブラケット片は、一方のブラケット片に他方のブラケット片が被い重なるような配置関係となるように配置高さおよび大きさを異ならせてある。
一方、前記共用するクリップは、異なる係着高さ位置を規定する複数の係止爪を備え、
前記係着高さ位置の低い係止爪を前記一方のブラケット片の係着固定用として、その一対を係止縁が外向きとなるように対向して形成し、係着高さ位置の高い係止爪を前記他方のブラケット片の係着固定用として、これら一対の係着高さ位置の低い係止爪の中間位置に形成している。
これにより、前記共用のクリップの係着高さ位置が低い係止爪に前記一方のブラケット片の係止孔を挿入して弾性係着し、続いて係着高さ位置が高い係止爪に前記他方のブラケット片の係止孔を挿入して弾性係着して、これら複数のブラケット片を多段に弾性係着するようにしたことを主要な特徴としている。
【発明の効果】
【００１４】
本発明によれば、クリップに設けた複数の係止爪が各々異なる係着高さ位置を規定していて、これらの係止爪によりそれぞれ別の付設部品を多段に係着固定可能である。
【００１５】
従って、車両用内装材の背面に複数の付設部品を近接して配設する場合、これら複数の付設部品が隣接する側では、当該クリップによって両付設部品を多段に係着固定できて、一体に型成形するクリップ総数を少なくして、型費を低減することができる。
【００１６】
また、上述のように複数の付設部品が隣接する部分でも、クリップ係着によって両付設部品を固定できるので、超音波溶着手段等、別の固着手段が不要となってコスト的に有利に得ることができる。
【図面の簡単な説明】
【００１７】
【図１】本発明の対象とする車両用内装材としてのドアトリムを背面側から見た説明図。
【図２】図１のＡ範囲部を示す拡大図。
【図３】図２のＢ範囲部におけるクリップを示す斜視図。
【図４】図３のＣ−Ｃ線に沿う断面図。
【図５】図３のＤ−Ｄ線に沿う断面図。
【発明を実施するための形態】
【００１８】
以下、本発明の一実施形態を、車両用内装材としてドアトリムを、およびその背面に装着される付設部品として緩衝部品を例に採って図面と共に詳述する。
【００１９】
図１に示す本実施形態のドアトリム１は、適宜の合成樹脂材をもって型成形され、図外のドアインナパネル面を覆って装着される。
【００２０】
ドアトリム１の背面には、ドアインナパネルとの間の空間部に介在して、車両の側面衝突時等に圧潰変形して衝突エネルギーを吸収する複数の緩衝部品１１，２１を隣接して配設してある。
【００２１】
緩衝部品１１，２１は、何れも適宜の合成樹脂材からなり、一側が開放して閉止端側が先細となるテーパを付与した矩形筒状に形成してある。
【００２２】
これらの緩衝部品１１，２１は、開放端側をドアトリム１の背面に向けた横置き配置として、該ドアトリム１のインパクトエリアの背面に後述するようにクリップ係着して固定してある。
【００２３】
これにより、車両の側面衝突やロールオーバー時等に、図外のドアインナパネルが車室内側に変形移動して緩衝部品１１，２１にその軸方向に相対的に外力が作用すると、それぞれ閉止端コーナー部の切欠部１２，２２を起点として周側の稜線に亀裂が生じ、軸方向に圧潰して衝突エネルギーを吸収するものである。
【００２４】
緩衝部品１１，２１は、開放端側の底縁に複数の突き当て片１３，２３を径外方向に張り出して形成してあり、これら底縁と突き当て片１３，２３により圧潰反力が適切に得られるようにしている。
【００２５】
緩衝部品１１，２１の周側の底縁近傍には、それぞれ複数のブラケット片１４，２４を外方に向けて突設してある。
【００２６】
ブラケット片１４，２４は、緩衝部品１１，２１の閉止端と平行に形成し、それらの周縁をフランジアップして補強してある。
【００２７】
各ブラケット片１４，２４は係止孔１５，２５を備えている一方、ドアトリム１の背面には、これらブラケット１４，２４の係止孔１５，２５にそれぞれ対応する位置にクリップ２を突設してある。
【００２８】
クリップ２は、先端に係止爪３を備え、緩衝部品１１，２１をドアトリム１の背面に押圧して、ブラケット片１４，２４の係止孔１５，２５をクリップ２に挿入して、各ブラケット片１４，２４の弾性作用により係止爪３に係着することによって、緩衝部品１１，２１をドアトリム１の背面に固定するようにしている。
【００２９】
クリップ２の係止爪３は、平板状のクリップポスト４の先端部の一側に形成してあり、係止縁３ａが上述の係止孔１５，２５に弾性係着することによって、ブラケット片１４，２４の係着高さ位置を規定している。
【００３０】
ここで、緩衝部品１１，２１が隣接した部分では、１つのクリップ２を共用してこれら緩衝部品１１，２１のブラケット片１４，２４を弾性係着可能としている。
【００３１】
この共用のクリップ２は、図３〜図５に例示するように、異なる係着高さ位置を規定する複数の係止爪３Ａ，３Ｂを備えている。
【００３２】
隣接する側のブラケット片１４，２４は、例えば、一方のブラケット片１４に他方のブラケット片２４が被い重なるような配置関係となるように配設高さおよび大きさを異ならせてある。
【００３３】
一方、共用のクリップ２は、本実施形態では、係着高さ位置の低い係止爪３Ａをブラケット片１４の係着固定用として、一対の係止爪３Ａ，３Ａを係止縁３ａ，３ａが外向きとなるように対向して形成し、係着高さ位置の高い係止爪３Ｂをブラケット片２４の係着固定用として、これら係止爪３Ａ，３Ａの中間位置に形成してある。
【００３４】
具体的には、共用のクリップ２のクリップポスト４はコ字形に形成してあって、コ字形状の対向部に係止爪３Ａ，３Ａを形成し、コ字形状の中央部に係止爪３Ｂを形成してある。
【００３５】
係止爪３Ｂは、その係止縁３ａがコ字形状の内側を向くように内向きに形成して、係止爪３Ａと係止爪３Ｂの型抜き方向が一致するようにしている。
【００３６】
即ち、ドアトリム１は、例えば、その表面側を成形するキャビティ型と背面側を成形するコア型とを備えた成形型により型成形され、クリップ２はその係止爪３が成形型の離型方向に対してアンダーカットとなるため、該クリップ２はコア型に設けたスライド駒により成形される。
【００３７】
そこで、係止爪３Ｂをクリップポスト４のコ字形状の中央部に内向きに形成することにより、係止爪３Ａの型抜き方向と係止爪３Ｂの型抜き方向が揃って、１つのスライド駒による同時成形が成立する。
【００３８】
このように、共用のクリップ２を、異なる係着高さ位置を規定する複数の係止爪３Ａ，３Ｂを備えた構成とすることにより、２つの緩衝部品１１と２１とが隣接する部分では、この共用のクリップ２の係着高さ位置が低い係止爪３Ａ，３Ａにブラケット片１４の係止孔１５を挿入して弾性係着し、続いて係着高さ位置が高い係止爪３Ｂにブラケット片２４の係止孔２５を挿入して弾性係着する。
【００３９】
これにより、１つのクリップ２にブラケット片１４，２４を多段に係着固定することが可能となる。
【００４０】
図３〜図５に示す例では、ブラケット片１４の係止孔１５を、２つの係止爪３Ａ，３Ａと、係止爪３Ｂとが挿通可能なように大きな開口面積として形成した場合を示している。
【００４１】
また、図外のドアインナパネルに対して傾斜したドアトリム１の非平行部の背面にクリップポスト４をコ字形に突設した状態を示しているため、コ字形状の対向部の係止爪３Ａ，３Ａは傾斜背面からの突出高さを変えて、係着高さ位置の平行度が得られるようにしている。
【００４２】
以上のように本実施形態の構造によれば、クリップ２に設けた複数の係止爪３Ａ，３Ｂが各々異なる係着高さ位置を規定していて、これらの係止爪３Ａ，３Ｂによりそれぞれ別の緩衝部品１１，２１のブラケット片１４，２４を多段に係着固定可能である。
【００４３】
従って、ドアトリム１の背面に複数の緩衝部品１１，２１を近接して配設する場合、これら複数の緩衝部品１１，２１が隣接する側では、当該係止爪３Ａ，３Ｂを備えた共用のクリップ２によって両緩衝部品１１，２１のブラケット片１４，２４を多段に係着固定できて、トリム背面に一体に型成形するクリップ総数を少なくすることができる。
【００４４】
この結果、ドアトリム１を成形する型費を低減できて、コスト的に有利に得ることができる。
【００４５】
また、このように２つの緩衝部品１１，２１が隣接する部分でも、１つの共用のクリップ２によって両部品１１，２１を多段に係着して固定できるので、超音波溶着手段等、別の固着手段が不要となって、この面でもコスト的に有利に得ることができる。
【００４６】
なお、前記実施形態ではドアトリム１を例に採って説明したが、ルーフトリムやリャサイドトリム，トランクトリム等、他の車両用内装材に適用することができる。
【００４７】
また、付設部品として樹脂製緩衝部品１１，２１を例示したが、他の機能部品であってもよいことは勿論である。
【符号の説明】
【００４８】
１…ドアトリム（車両用内装材）
２…クリップ
３，３Ａ，３Ｂ…係止爪
４…クリップポスト
１１，２１…緩衝部品（付設部品）
【図１】
0005698174.tif 000002
【図２】
0005698174.tif 000003
【図３】
0005698174.tif 000004
【図４】
0005698174.tif 000005
【図５】
0005698174.tif 000006